(57)【要約】【課題】打球ハンドル操作時の手置き台として兼用できる構成とすることによって遊技者の便宜を図るようにした新規のパチンコ球収納用球箱を提供する。【解決手段】上面が開放した長方形の箱状を呈する箱本体１を構成し、この箱本体１の開口縁に左右一対の取手２，３を一体に連設すると共に右側の取手３の上面を広くしてこの部分を、遊技者がパチンコ機４の打球ハンドル５を握りながら自然な姿勢で手を載せることができる高さの手置き部６とし、右側の取手３の下面の外縁に箱本体１が島台カウンター８に載せ置かれたときに着床する脚状部９を設け、且つこれによって当該右側取手３の下側にタバコ、ライター等の収納空間部１０を形成し、また手置き部６の上面に軟質合成樹脂製の滑り止め機能を兼ねマット１１を貼り付けたものである。【選択図】　　　　図３
2004024498.tif 000002
【特許請求の範囲】
【請求項１】
パチンコ球収納用球箱本体部の少なくとも一方側に、遊技者がパチンコ機の打球ハンドルを握りながら自然な姿勢で手を載せることができる高さの手置き部を一体に設けて成ることを特徴とするパチンコ球収納用球箱。
【請求項２】
手置き部の下面に箱本体が島台カウンターに載せ置かれたときに着床する脚状部を設けて当該手置き部の下側にタバコ、ライター等の収納空間部を形成して成ることを特徴とする請求項１記載のパチンコ球収納用球箱。
【請求項３】
手置き部の上面に滑り止め機能を兼ねるマットを取付けたことを特徴とする請求項１記載のパチンコ球収納用球箱。
【請求項４】
手置き部の上に当て体を回転可能として装備して成ることを特徴とする請求項１記載のパチンコ球収納用球箱。
【発明の詳細な説明】
【０００１】
【産業上の利用分野】
本発明は、打球ハンドル操作時の手置き台として兼用できる構成とすることによって、遊技者の便宜を図るようにしたパチンコ球収納用球箱に関するものである。
【０００２】
【従来の技術】
従来知られているこの種のパチンコ球収納用球箱は、パチンコ機が設置されている島台のカウンター上に遊技者が任意に載置して使用するものであって、遊技中に遊技者が獲得した賞球をパチンコ機の球受皿から抜き取りながら貯留するように構成されているだけのものであった。
【０００３】
【発明が解決しようとする課題】
上記した従来の技術において述べたパチンコ球収納用球箱は、単にパチンコ球を収納するために使用されるだけであってその用途が限られたものであった。
【０００４】
そもそもパチンコ機は、前面枠の前面に打球ハンドルが設けられているものであり、遊技者は打球ハンドルを握持して当該ハンドルを操作し、よって打球力等を調節してパチンコ球を遊技盤上に発射する構成になっている。
【０００５】
このような構成のパチンコ機で遊技する場合、遊技者は最適な打球力等を維持するために打球ハンドルを同じ位置で長時間握り続けることを行っている。この同じ位置での握り状態が長くなれば遊技者の手首や肩が極度に疲労する。
【０００６】
すなわち、パチンコ機には、遊技者に疲労等の不快感を与えてしまいやすいという構造上の問題点があった。
【０００７】
本発明は、上記した問題点を解消するのに極めて好都合な新規のパチンコ球収納用球箱を提供することを第１の目的とし、更にこれを便利に且つ使い易くすることを第２の目的とするものである。
【０００８】
【課題を解決するための手段】
上記目的を達成するために本発明に係るパチンコ球収納用球箱は、パチンコ球収納用球箱本体部の少なくとも一方側に、遊技者がパチンコ機の打球ハンドルを握りながら自然な姿勢で手を載せることができる高さの手置き部を一体に設けたものである。
【０００９】
そして、手置き部の下面に箱本体が島台カウンターに載せ置かれたときに着床する脚状部を設て当該手置き部の下側にタバコ、ライター等の収納空間部を形成して成るものである。
【００１０】
また、手置き部の上面に滑り止め機能を兼ねるマットを取付けたものである。
【００１１】
また、手置き部の上に布団状当て体を回転可能として装備して成るものである。
【００１２】
【作用】
上記のように構成されたパチンコ球収納用球箱は、従来と同じようにパチンコ球を収納することができると共に打球ハンドルを握りながら自然な姿勢で手置き部に手を載せて遊技することができるものであって、長時間打球ハンドルを握っていても遊技者に疲労を感じさせるようにするものである。
【００１３】
【実施例】
図１〜図３に示す第１実施例は、硬質合成樹脂材料を以て上面が開放した長方形の箱状を呈するパチンコ球収納用球箱本体１を構成し、この箱本体１の開口縁に左右一対の取手２，３を一体に連設すると共に右側の取手３の上面を広く構成してこの部分を、遊技者がパチンコ機４の打球ハンドル５を握りながら自然な姿勢で手を載せることができる高さの手置き部６とする。
【００１４】
更に、右側の取手３の下面の外縁に箱本体１が島台カウンター８に載せ置かれたときに着床する安定性を高めるための脚状部９を設け、且つこれによって当該右側取手３の下側にタバコ、ライター等の収納空間部１０を形成し、また手置き部６の上面に軟質合成樹脂製の滑り止め機能を兼ねるマット１１を貼り付けたものである。尚、図中符号１２は脚状部９に被着した保護キャップ、１３は箱本体１の底面に被着した保護底部材、１４は小銭や小物等を一時的に入れて置くためのポケットである。
【００１５】
図４に示す第２実施例は、手置き部６の上に布団状当て体１５を、交換可能に且つピン１６およびピン孔１７により回転可能にして載置したものである。すなわち、この当て体１５は、載せられた手の動きに合せて自由に動かせるようにしたあるものである。
【００１６】
尚、この当て体１５は、外れないように固定したり、回転しないようにしたりしても実施することができる。
【００１７】
上記のような構成からなる本発明のパチンコ球収納用球箱は、手置き部６がパチンコ機４の打球ハンドル５の下方に位置するように島台カウンター８上に載置して使用するものである。従って、遊技者は打球ハンドル５を握りながら自然な状態で手を手置き部に載せて遊技を行うことができるため、打球ハンドル５を同じ位置で長時間握り続けても手や肩に負担が掛からず遊技者を疲労させるようなことがなくなる。
【００１８】
【発明の効果】
以上、説明したことから明らかなように、本発明に係るパチンコ球収納用球箱は、当該球箱に手置き部を一体に形成し、遊技者が打球ハンドルを握りながら自然な状態で手を載せることができる手置き台としても機能するようにしたものであるから、簡単な構造で実用的価値を高めることができると共にハンドル操作による遊技者の疲労を軽減するのに大いに役立たせることができるものである。
【００１９】
また、請求項２に係るパチンコ球収納用球箱は、手置き部の下面に箱本体が島台カウンターに載せ置かれたときに着床する脚状部を設けてあるので、使用時の安定性が高く安心して使用できる利点があり、且つこのようにして設けた脚状部によって手置き部の下側にタバコ、ライター等の収納空間部を形成してあるので、遊技者には便利且つ調法なものである。
【００２０】
更に、請求項３に係るパチンコ球収納用球箱は、手置き部の上面に滑り止め機能を兼ねるマットを取付けてあるので、当該マットに載せた手の安定性が極めて良く、快適に遊技をすることを可能にするものである。
【００２１】
また、請求項４に係るパチンコ球収納用球箱は、手置き部の上に当て体を回転可能として装備して成るので、マットに載せた手の所謂微妙な動きが可能なものであって成績の向上に好適なものである。
【図面の簡単な説明】
【図１】第１実施例を示す正面図である。
【図２】同じく平面図である。
【図３】同じく使用状態を示す斜視図である。
【図４】第２実施例を示す分解斜視図である。
【符号の説明】
１　箱本体
２　取手
３　取手
４　パチンコ機
５　打球ハンドル
６　手置き部
８　島台カウンター
９　脚状部
１０　収納空間部
１１　マット
１２　保護キャップ
１３　保護底部材
１４　ポケット
１５　布団状当て体
１６　ピン
１７　ピン孔
【図１】
2004024498.tif 000003
【図２】
2004024498.tif 000004
【図３】
2004024498.tif 000005
【図４】
2004024498.tif 000006